(57)【要約】【課題】ＬＥＤ光源における誘虫性を低減させつつ、演色性を十分に確保することができる照明装置を提供する。【解決手段】照光部１１は、４３０〜４６０ｎｍに第１のピーク波長を有し、５３０ｎｍ〜５７０ｎｍに第２のピーク波長を有する。照光部は、第１のピーク波長における分光強度／第２のピーク波長における分光強度を０．８以上、５未満となるように構成される。照光部１１は、４６０〜５２０ｎｍにボトム波長を有し、そのボトム波長における分光強度が第１のピーク波長における分光強度に対して１０分の１以下とされる。【選択図】図１
2013239272.tif 000002
【特許請求の範囲】
【請求項１】
４３０〜４６０ｎｍに第１のピーク波長を有し、５３０ｎｍ〜５７０ｎｍに第２のピーク波長を有する光を照射するＬＥＤ光源部を備えたことを特徴とする照明装置。
【請求項２】
請求項１に記載の照明装置において、
前記ＬＥＤ光源部は、第２のピーク波長における分光強度を１とした場合に、前記第１のピーク波長における分光強度が０．８以上５未満であることを特徴とする照明装置。
【請求項３】
請求項１又は２に記載の照明装置において、
前記ＬＥＤ光源部は、４６０〜５２０ｎｍにボトム波長を有し、そのボトム波長における分光強度が第１のピーク波長における分光強度に対して１０分の１以下であることを特徴とする照明装置。
【請求項４】
請求項１〜３のいずれか一項に記載の照明装置において、
前記ＬＥＤ光源部は、４５０ｎｍ〜４６０ｎｍに前記第１のピーク波長を有し、５３０〜５６０ｎｍに前記第２のピーク波長を有し、６００ｎｍ以上の波長域に第３のピーク波長を有し、第１のピーク波長における分光強度が前記第２のピーク波長における分光強度よりも高いことを特徴とする照明装置。
【請求項５】
請求項４に記載の照明装置において、
前記ＬＥＤ光源部は、前記第２のピーク波長における分光強度が前記第３のピーク波長における分光強度よりも高いことを特徴とする照明装置。
【発明の詳細な説明】
【技術分野】
【０００１】
本発明は、照明装置に関するものである。
【背景技術】
【０００２】
一般に、飛翔昆虫などの虫を誘引しやすい光の分光分布は紫外線にピークがあると言われている。このため、例えば特許文献１の照明装置のように、ＬＥＤ素子を有するＬＥＤ光源部を用いることで蛍光灯等と比較して誘虫性を低減させることが可能となっている。
【０００３】
また、特許文献１の照明装置では、青色のＬＥＤ素子と黄色蛍光体とでなるＬＥＤ光源部に加えて５００ｎｍよりも長波長側である赤色のＬＥＤ素子を備えている。
【先行技術文献】
【特許文献】
【０００４】
【特許文献１】特開２００９−２２４１４８号公報
【発明の概要】
【発明が解決しようとする課題】
【０００５】
ところで、上記のような照明装置では、ＬＥＤ素子を用いることで誘虫性を低減させることとなるが、照射対象物の色の見え方の指標となる演色性（平均演色評価数Ｒａ）については具体的に考慮されておらず、改善の余地が残されている。
【０００６】
本発明は、上記課題を解決するためになされたものであって、その目的は、ＬＥＤ光源部における誘虫性を低減させつつ、演色性を十分に確保することができる照明装置を提供することにある。
【課題を解決するための手段】
【０００７】
上記課題を解決するために、本発明の照明装置は、４３０〜４６０ｎｍに第１のピーク波長を有し、５３０ｎｍ〜５７０ｎｍに第２のピーク波長を有する光を照射するＬＥＤ光源部を備えたことを特徴とする。
【０００８】
また上記構成において、前記ＬＥＤ光源部は、第２のピーク波長における分光強度を１とした場合に、前記第１のピーク波長における分光強度が０．８以上、５未満であることが好ましい。
【０００９】
また上記構成において、前記ＬＥＤ光源部は、４６０〜５２０ｎｍにボトム波長を有し、そのボトム波長における分光強度が第１のピーク波長における分光強度に対して１０分の１以下であることが好ましい。
【００１０】
また上記構成において、前記ＬＥＤ光源部は、４５０ｎｍ〜４６０ｎｍに前記第１のピーク波長を有し、５３０〜５６０ｎｍに前記第２のピーク波長を有し、６００ｎｍ以上の波長域に第３のピーク波長を有し、第１のピーク波長における分光強度が前記第２のピーク波長における分光強度よりも高いことが好ましい。
【００１１】
また上記構成において、前記ＬＥＤ光源部は、前記第２のピーク波長における分光強度が前記第３のピーク波長における分光強度よりも高いことが好ましい。
【発明の効果】
【００１２】
本発明によれば、ＬＥＤ光源における誘虫性を低減させつつ、演色性を十分に確保することができる照明装置を提供することができる。
【図面の簡単な説明】
【００１３】
【図１】実施形態における照明装置の概略ブロック図。
【図２】各条件Ａ〜Ｉと比較例１〜７とでの効果の違いについて説明するための説明図。
【図３】条件Ａの照明装置におけるスペクトルの特性図。
【図４】条件Ｂの照明装置におけるスペクトルの特性図。
【図５】条件Ｃの照明装置におけるスペクトルの特性図。
【図６】条件Ｄの照明装置におけるスペクトルの特性図。
【図７】条件Ｅの照明装置におけるスペクトルの特性図。
【図８】条件Ｆの照明装置におけるスペクトルの特性図。
【図９】条件Ｇの照明装置におけるスペクトルの特性図。
【図１０】条件Ｈの照明装置におけるスペクトルの特性図。
【図１１】条件Ｉの照明装置におけるスペクトルの特性図。
【図１２】比較例１の照明装置におけるスペクトルの特性図。
【図１３】比較例２の照明装置におけるスペクトルの特性図。
【図１４】比較例３の照明装置におけるスペクトルの特性図。
【図１５】比較例４の照明装置におけるスペクトルの特性図。
【図１６】比較例５の照明装置におけるスペクトルの特性図。
【図１７】比較例６の照明装置におけるスペクトルの特性図。
【図１８】比較例７の照明装置におけるスペクトルの特性図。
【図１９】（ａ）（ｂ）は評価実験に用いた評価装置の概略構成図。
【発明を実施するための形態】
【００１４】
以下、本発明を具体化した一実施形態を図面に従って説明する。
図１に示すように、本実施形態の照明装置１０は、照光部１１と、この照光部１１を点灯させるための点灯回路１２とを備えている。
【００１５】
図１に示すように、照光部１１は、前記点灯回路１２と電気的に接続されて青色の光を発するＬＥＤ素子１１ａと、このＬＥＤ素子１１ａと所定の空隙を設けた状態で覆う蛍光体１１ｂとで構成されている。蛍光体１１ｂは、前記ＬＥＤ素子１１ａの光によって励起されて略黄色に発光する蛍光体であり、例えばＹＡＧ（イットリウム・アルミニウム・ガーネット）蛍光体が挙げられる。また、目標のピークとボトムの波長とする場合、１種類でなく緑色蛍光体（例えばＣＳＯ）や赤色蛍光体（例えばＣＡＳＮ）等の複数の蛍光体を用いてもよい。
【００１６】
そして、上記のように構成された照光部１１は点灯回路１２からの電力供給に基づいて、略白色に点灯される。
（評価実験）
ここで、本発明者らは、照光部１１の誘虫性の低減と演色性向上のため評価実験を行った。なお、本評価実験で用いた照光部１１の構成は以下の条件（Ａ）〜（Ｉ）及び比較例１〜３である。
【００１７】
・条件（Ａ）
照光部１１のＬＥＤ素子１１ａは、図２に示すように、４３０〜４６０ｎｍの範囲内である略４３０ｎｍに第１のピーク波長Ｐ１を有する。照光部１１は、５３０〜５７０ｎｍの範囲である５３０ｎｍに第２のピーク波長Ｐ２を有する。このとき、第１のピーク波長Ｐ１における分光強度／第２のピーク波長Ｐ２における分光強度を２．２とする。照光部１１は、４６０〜５２０ｎｍの波長領域にボトム波長Ｂを有し、ボトム波長Ｂにおける分光強度／第１のピーク波長Ｐ１における分光強度を０．１以下である０．０１未満とする。なお、このように構成された照光部１１のスペクトル特性を図３に示す。
【００１８】
・条件（Ｂ）
照光部１１のＬＥＤ素子１１ａは、図２に示すように、４３０〜４６０ｎｍの範囲内である略４６０ｎｍに第１のピーク波長Ｐ１を有する。照光部１１は、５３０〜５７０ｎｍの範囲である５５０ｎｍに第２のピーク波長Ｐ２を有する。このとき、第１のピーク波長Ｐ１における分光強度／第２のピーク波長Ｐ２における分光強度を１．７とする。照光部１１は、４６０〜５２０ｎｍの波長領域にボトム波長Ｂを有し、ボトム波長Ｂにおける分光強度／第１のピーク波長Ｐ１における分光強度を０．１以下である０．０１未満とする。なお、このように構成された照光部１１のスペクトル特性を図４に示す。
【００１９】
・条件（Ｃ）
照光部１１のＬＥＤ素子１１ａは、図２に示すように、４３０〜４６０ｎｍの範囲内である略４５５ｎｍに第１のピーク波長Ｐ１を有する。照光部１１は、５３０〜５７０ｎｍの範囲である５７０ｎｍに第２のピーク波長Ｐ２を有する。このとき、第１のピーク波長Ｐ１における分光強度／第２のピーク波長Ｐ２における分光強度を１．７とする。照光部１１は、４６０〜５２０ｎｍの波長領域にボトム波長Ｂを有し、ボトム波長Ｂにおける分光強度／第１のピーク波長Ｐ１における分光強度を０．１以下である０．０６とする。なお、このように構成された照光部１１のスペクトル特性を図５に示す。
【００２０】
・条件（Ｄ）
照光部１１のＬＥＤ素子１１ａは、図２に示すように、４３０〜４６０ｎｍの範囲内である略４５５ｎｍに第１のピーク波長Ｐ１を有する。照光部１１は、５３０〜５７０ｎｍの範囲である５５５ｎｍに第２のピーク波長Ｐ２を有し、６００ｎｍ以上の波長領域である６５０ｎｍに第３のピーク波長Ｐ３を有する。このとき、第１のピーク波長Ｐ１における分光強度／第２のピーク波長における分光強度を０．８とする。また第２のピーク波長Ｐ２における分光強度／第３のピーク波長Ｐ３における分光強度を１．１とする。さらに照光部１１は、４６０〜５２０ｎｍの波長領域にボトム波長Ｂを有し、ボトム波長Ｂにおける分光強度／第１のピーク波長Ｐ１における分光強度を０．１以下である０．０６とする。なお、このように構成された照光部１１のスペクトル特性を図６に示す。
【００２１】
・条件（Ｅ）
照光部１１のＬＥＤ素子１１ａは、図２に示すように、４３０〜４６０ｎｍの範囲内である略４３５ｎｍに第１のピーク波長Ｐ１を有する。照光部１１は、５３０〜５７０ｎｍの範囲である５３０ｎｍに第２のピーク波長Ｐ２を有し、６００ｎｍ以上の波長領域である６００ｎｍに第３のピーク波長Ｐ３を有する。このとき、第１のピーク波長Ｐ１における分光強度／第２のピーク波長における分光強度を４．４とする。また第２のピーク波長Ｐ２における分光強度／第３のピーク波長Ｐ３における分光強度を１．０とする。さらに照光部１１は、４６０〜５２０ｎｍの波長領域にボトム波長Ｂを有し、ボトム波長Ｂにおける分光強度／第１のピーク波長Ｐ１における分光強度を０．１以下である０．０１未満とする。なお、このように構成された照光部１１のスペクトル特性を図７に示す。
【００２２】
・条件（Ｆ）
照光部１１のＬＥＤ素子１１ａは、図２に示すように、４３０〜４６０ｎｍの範囲内である略４５０ｎｍに第１のピーク波長Ｐ１を有する。照光部１１は、５３０〜５７０ｎｍの範囲である５４５ｎｍに第２のピーク波長Ｐ２を有する。このとき、第１のピーク波長Ｐ１における分光強度／第２のピーク波長における分光強度を１．２とする。さらに照光部１１は、４６０〜５２０ｎｍの波長領域にボトム波長Ｂを有し、ボトム波長Ｂにおける分光強度／第１のピーク波長Ｐ１における分光強度を０．１以下である０．１とする。なお、このように構成された照光部１１のスペクトル特性を図８に示す。
【００２３】
・条件（Ｇ）
照光部１１のＬＥＤ素子１１ａは、図２に示すように、４３０〜４６０ｎｍの範囲内である略４５５ｎｍに第１のピーク波長Ｐ１を有する。照光部１１は、５３０〜５７０ｎｍの範囲である５４５ｎｍに第２のピーク波長Ｐ２を有し、６００ｎｍ以上の波長領域である６２０ｎｍに第３のピーク波長Ｐ３を有する。このとき、第１のピーク波長Ｐ１における分光強度／第２のピーク波長における分光強度を３とする。また第２のピーク波長Ｐ２における分光強度／第３のピーク波長Ｐ３における分光強度を１．２とする。さらに照光部１は、４６０〜５２０ｎｍの波長領域にボトム波長Ｂを有し、ボトム波長Ｂにおける分光強度／第１のピーク波長Ｐ１における分光強度を０．１以下である０．０１未満とする。なお、このように構成された照光部１１のスペクトル特性を図９に示す。
【００２４】
・条件（Ｈ）
照光部１１のＬＥＤ素子１１ａは、図２に示すように、４３０〜４６０ｎｍの範囲内である略４５５ｎｍに第１のピーク波長Ｐ１を有する。照光部１１は、５３０〜５７０ｎｍの範囲である５４５ｎｍに第２のピーク波長Ｐ２を有し、６００ｎｍ以上の波長領域である６２５ｎｍに第３のピーク波長Ｐ３を有する。このとき、第１のピーク波長Ｐ１における分光強度／第２のピーク波長における分光強度を１．５とする。また第２のピーク波長Ｐ２における分光強度／第３のピーク波長Ｐ３における分光強度を１．１とする。さらに照光部１１は、４６０〜５２０ｎｍの波長領域にボトム波長Ｂを有し、ボトム波長Ｂにおける分光強度／第１のピーク波長Ｐ１における分光強度を０．１以下である０．０１未満とする。なお、このように構成された照光部１１のスペクトル特性を図１０に示す。
【００２５】
・条件（Ｉ）
照光部１１のＬＥＤ素子１１ａは、図２に示すように、４３０〜４６０ｎｍの範囲内である略４５５ｎｍに第１のピーク波長Ｐ１を有する。照光部１１は、５３０〜５７０ｎｍの範囲である５４０ｎｍに第２のピーク波長Ｐ２を有し、６００ｎｍ以上の波長領域である６２０ｎｍに第３のピーク波長Ｐ３を有する。このとき、第１のピーク波長Ｐ１における分光強度／第２のピーク波長における分光強度を３．７とする。また第２のピーク波長Ｐ２における分光強度／第３のピーク波長Ｐ３における分光強度を１．２とする。さらに照光部１１は、４６０〜５２０ｎｍの波長領域にボトム波長Ｂを有し、ボトム波長Ｂにおける分光強度／第１のピーク波長Ｐ１における分光強度を０．１以下である０とする。なお、このように構成された照光部１１のスペクトル特性を図１１に示す。
【００２６】
（比較例１）
照光部１１のＬＥＤ素子１１ａは、図２に示すように、４２５ｎｍに第１のピーク波長Ｐ１を有する。照光部１１は、５２５ｎｍに第２のピーク波長Ｐ２を有する。このとき、第１のピーク波長Ｐ１における分光強度／第２のピーク波長Ｐ２における分光強度を３とする。また照光部１１は、４６０〜５２０ｎｍの波長領域にボトム波長Ｂを有し、ボトム波長Ｂにおける分光強度／第１のピーク波長Ｐ１における分光強度を０．１以下である０．０１未満とする。なお、このように構成された照光部１１のスペクトル特性を図１２に示す。
【００２７】
（比較例２）
照光部１１のＬＥＤ素子１１ａは、図２に示すように、４６５ｎｍに第１のピーク波長Ｐ１を有する。照光部１１は、５７５ｎｍに第２のピーク波長Ｐ２を有する。このとき、第１のピーク波長Ｐ１における分光強度／第２のピーク波長Ｐ２における分光強度を２とする。照光部１１は、４６０〜５２０ｎｍの波長領域にボトム波長Ｂを有し、ボトム波長Ｂにおける分光強度／第１のピーク波長Ｐ１における分光強度を０．１以下である０．０７とする。なお、このように構成された照光部１１のスペクトル特性を図１３に示す。
【００２８】
（比較例３）
照光部１１のＬＥＤ素子１１ａは、図２に示すように、４３０〜４６０ｎｍの範囲内である略４５５ｎｍに第１のピーク波長Ｐ１を有する。照光部１１は、５３０〜５７０ｎｍの範囲である５５５ｎｍに第２のピーク波長Ｐ２を有し、６００ｎｍ以上の波長領域である６５０ｎｍに第３のピーク波長Ｐ３を有する。このとき、第１のピーク波長Ｐ１における分光強度／第２のピーク波長における分光強度を０．６とする。また第２のピーク波長Ｐ２における分光強度／第３のピーク波長Ｐ３における分光強度を１．６とする。さらに照光部１１は、４６０〜５２０ｎｍの波長領域にボトム波長Ｂを有し、ボトム波長Ｂにおける分光強度／第１のピーク波長Ｐ１における分光強度を０．１以下である０．０４とする。なお、このように構成された照光部１１のスペクトル特性を図１４に示す。
【００２９】
（比較例４）
照光部１１のＬＥＤ素子１１ａは、図２に示すように、４３０〜４６０ｎｍの範囲内である略４３０ｎｍに第１のピーク波長Ｐ１を有する。照光部１１は、５３０〜５７０ｎｍの範囲である５３５ｎｍに第２のピーク波長Ｐ２を有し、６００ｎｍ以上の波長領域である６００ｎｍに第３のピーク波長Ｐ３を有する。このとき、第１のピーク波長Ｐ１における分光強度／第２のピーク波長における分光強度を５．３とする。また第２のピーク波長Ｐ２における分光強度／第３のピーク波長Ｐ３における分光強度を０．９とする。さらに照光部１１は、４６０〜５２０ｎｍの波長領域にボトム波長Ｂを有し、ボトム波長Ｂにおける分光強度／第１のピーク波長Ｐ１における分光強度を０．１以下である０．０１未満とする。なお、このように構成された照光部１１のスペクトル特性を図１５に示す。
【００３０】
（比較例５）
照光部１１のＬＥＤ素子１１ａは、図２に示すように、４３０〜４６０ｎｍの範囲内である略４５０ｎｍに第１のピーク波長Ｐ１を有する。照光部１１は、５５５ｎｍに第２のピーク波長Ｐ２を有する。このとき、第１のピーク波長Ｐ１における分光強度／第２のピーク波長Ｐ２における分光強度を１．２とする。照光部１１は、４６０〜５２０ｎｍの波長領域にボトム波長Ｂを有し、ボトム波長Ｂにおける分光強度／第１のピーク波長Ｐ１における分光強度を０．１より大きい、０．１５とする。なお、このように構成された照光部１１のスペクトル特性を図１６に示す。
【００３１】
（比較例６）
照光部１１のＬＥＤ素子１１ａは、図２に示すように、４３０〜４６０ｎｍの範囲内である略４５５ｎｍに第１のピーク波長Ｐ１を有する。照光部１１は、５３０〜５７０ｎｍの範囲である５４５ｎｍに第２のピーク波長Ｐ２を有し、５９０ｎｍに第３のピーク波長Ｐ３を有する。このとき、第１のピーク波長Ｐ１における分光強度／第２のピーク波長における分光強度を３とする。また第２のピーク波長Ｐ２における分光強度／第３のピーク波長Ｐ３における分光強度を１．１とする。さらに照光部１１は、４６０〜５２０ｎｍの波長領域にボトム波長Ｂを有し、ボトム波長Ｂにおける分光強度／第１のピーク波長Ｐ１における分光強度を０．１以下である０．０１未満とする。なお、このように構成された照光部１１のスペクトル特性を図１７に示す。
【００３２】
（比較例７）
照光部１１のＬＥＤ素子１１ａは、図２に示すように、４３０〜４６０ｎｍの範囲内である略４５５ｎｍに第１のピーク波長Ｐ１を有する。照光部１１は、５３０〜５７０ｎｍの範囲である５４５ｎｍに第２のピーク波長Ｐ２を有し、６００ｎｍ以上の波長領域である６２０ｎｍに第３のピーク波長Ｐ３を有する。このとき、第１のピーク波長Ｐ１における分光強度／第２のピーク波長における分光強度を４．２とする。また第２のピーク波長Ｐ２における分光強度／第３のピーク波長Ｐ３における分光強度を０．９とする。さらに照光部１１は、４６０〜５２０ｎｍの波長領域にボトム波長Ｂを有し、ボトム波長Ｂにおける分光強度／第１のピーク波長Ｐ１における分光強度を０．１以下である０．０１未満とする。なお、このように構成された照光部１１のスペクトル特性を図１８に示す。
【００３３】
（実験方法）
この評価実験では、図１９に示す評価装置２０を用いている。図１９に示すように、評価装置２０は、ポール２１の上端に、照光部１１が略箱状の収容部２２に収容した状態で取着される。収容部２２には、その一面側から１１の光出射面１１ｃが目視可能な状態で設けられる。また、収容部２２には、照光部１１の光出射面１１ｃ側の上部及び下部にそれぞれ、表面に粘着剤を塗布した２００ｍｍ×５００ｍｍの粘着トラップ２３が設けられる。
【００３４】
なお、照光部１１としては、ＮＮＮ２１６１５形状のダウンライト（パナソニック電工株式会社製）を用い、色温度が略５０００Ｋで上記条件（Ａ）〜（Ｉ）及び比較例１〜３のいずれかのスペクトル特性となるように調整している。
【００３５】
上記のように構成された評価装置２０を１０ｍ四方の部屋の中に設置し、その部屋の中に３種類（ハエやコナガ等）の虫を各４００匹入れ、評価装置２０の照光部１１を発光させて１時間放置した。そして、粘着トラップ２３に捕集された虫の数を数え、比較例２の構成において捕集された虫の数を１００とし、これを基準として評価を行った。
【００３６】
また、上記の誘虫性に加えて、松下電器産業照明研究所技報  照明と昆虫（昭和５０年１２月発行）に基づいて、上記条件（Ａ）〜（Ｉ）及び比較例１〜３のそれぞれのスペクトルから誘虫性指数を算出した。また、ＪＩＳ  Ｚ８７２６に基づいて、上記条件（Ａ）〜（Ｉ）及び比較例１〜３のそれぞれのスペクトルから平均演色評価数Ｒａを算出した。
【００３７】
［条件Ａ〜Ｉの評価結果］
ここで、比較例１の構成では、平均演色評価数Ｒａを７０以上とすることができるものの昆虫の誘虫性は１３２（誘虫性指数１３０）となり、上記の条件Ａ〜Ｉの構成と比較して非常に高いものとなるため、好ましくない。また、比較例２の構成では、誘虫性を１００（誘虫性指数１０７）で、平均演色評価数Ｒａが７０未満となるため、特に演色性を低下させることとなる。
【００３８】
そこで、例えば本実施形態の各照光部１１を前記条件（Ａ）〜（Ｉ）のいずれかに則した構成とすることで、以下の構成に適応した構成とされる。照光部１１は、４３０〜４６０ｎｍに第１のピーク波長Ｐ１を有し、５３０ｎｍ〜５７０ｎｍに第２のピーク波長Ｐ２を有する。このような構成とすることで、図２に示すように、昆虫の誘虫性指数を９５以下とすることができ、平均演色評価数Ｒａを比較的高くすることができ、誘虫性を低減させつつ演色性を十分に確保することができる。
【００３９】
また、上記構成に加え、第１のピーク波長Ｐ１における分光強度／第２のピーク波長Ｐ２を０．８以上、５未満とすることが好ましい。このような構成とすることで平均演色評価数Ｒａを７０以上として、第１のピーク波長Ｐ１における分光強度／第２のピーク波長Ｐ２を０．８未満または５以上とした比較例３又は比較例４と比較して、平均演色評価数Ｒａを高く維持することができる。
【００４０】
また、上記構成に加え、４６０〜５２０ｎｍにボトム波長を有し、そのボトム波長における分光強度が第１のピーク波長における分光強度に対して１０分の１以下、すなわちボトム波長における分光強度／第１のピーク波長Ｐ１の分光強度が０．１以下であることが好ましい。このような構成とすることで、昆虫の誘虫性指数を９５以下として、ボトム波長における分光強度／第１のピーク波長Ｐ１の分光強度が０．１より大きい比較例５と比較して誘虫性指数を低減させることができる。
【００４１】
また、条件（Ｇ）〜（Ｉ）に則した構成とすることが好ましい。具体的には、照光部１１は、第１のピーク波長を４５０〜４６０ｎｍの範囲に有し、第２のピーク波長を５３０〜５６０ｎｍの範囲に有し、６００ｎｍ以上の波長域に第３のピーク波長を有する。更に照光部１１は、第１のピーク波長Ｐ１における分光強度が第２のピーク波長Ｐ２における分光強度よりも高い。また、第２のピーク波長Ｐ２における分光強度が第３のピーク波長Ｐ３における分光強度よりも高い。このような構成とすることで、平均演色評価数Ｒａを８０以上とすることができ、比較例６のように第３のピーク波長Ｐ３が６００ｎｍ未満の場合と比較して平均演色評価数Ｒａを高く維持することができる。さらに、比較例７のように第３のピーク波長Ｐ３における分光強度が第２のピーク波長Ｐ２における分光強度よりも高い場合と比較して、昆虫の誘虫性指数を低減させることができる。
【００４２】
次に、本実施形態の特徴的な効果を記載する。
（１）照光部１１は、４３０〜４６０ｎｍに第１のピーク波長Ｐ１を有し、５３０ｎｍ〜５７０ｎｍに第２のピーク波長Ｐ２を有する。このような構成とすることで、図２に示すように、昆虫の誘虫性指数を９５以下とすることができ、平均演色評価数Ｒａを比較的高くすることができ、誘虫性を低減させつつ演色性を十分に確保することができる。
【００４３】
（２）また、上記構成に加え、第１のピーク波長Ｐ１における分光強度／第２のピーク波長Ｐ２における分光強度を０．８以上、５未満とすることが好ましい。このような構成とすることで平均演色評価数Ｒａを７０以上として、第１のピーク波長Ｐ１における分光強度／第２のピーク波長Ｐ２を０．８未満または５以上とした比較例３又は比較例４と比較して、平均演色評価数Ｒａを高く維持することができる。
【００４４】
（３）また、４６０〜５２０ｎｍにボトム波長を有し、そのボトム波長における分光強度が第１のピーク波長における分光強度に対して１０分の１以下、すなわちボトム波長における分光強度／第１のピーク波長Ｐ１の分光強度が０．１以下であることが好ましい。このような構成とすることで、昆虫の誘虫性指数を９５以下として、ボトム波長における分光強度／第１のピーク波長Ｐ１の分光強度が０．１より大きい比較例５と比較して誘虫性指数を低減させることができる。
【００４５】
（４）照光部１１は、第１のピーク波長を４５０〜４６０ｎｍの範囲に有し、第２のピーク波長を５３０〜５６０ｎｍの範囲に有し、６００ｎｍ以上の波長域に第３のピーク波長を有する。更に照光部１１は、第１のピーク波長Ｐ１における分光強度が第２のピーク波長Ｐ２における分光強度よりも高い。このような構成とすることで、平均演色評価数Ｒａを８０以上とすることができ、比較例６のように第３のピーク波長Ｐ３が６００ｎｍ未満の場合と比較して平均演色評価数Ｒａを高く維持することができる。
【００４６】
（５）また、照光部１１は、第２のピーク波長Ｐ２における分光強度が第３のピーク波長Ｐ３における分光強度よりも高い構成とされる。このような構成とすることで、さらに、比較例７のように第３のピーク波長Ｐ３における分光強度が第２のピーク波長Ｐ２における分光強度よりも高い場合と比較して、昆虫の誘虫性指数を低減させることができる。
【００４７】
（６）照光部１１は、４６０〜４９０ｎｍにボトム波長Ｂを有し、そのボトム波長Ｂにおける分光強度が０とされる。これにより、昆虫の誘虫性指数をさらに低減させることができる。
【００４８】
尚、本発明の実施形態は、以下のように変更してもよい。
・上記実施形態では、１つのＬＥＤ素子１１ａと蛍光体１１ｂとで照光部１１を構成したが、これに限らず、仕様等に合わせて適宜変更してもよい。
【００４９】
次に、上記実施形態及び別例から把握できる技術的思想を以下に追記する。
（イ）  請求項３に記載の照明装置において、
前記ＬＥＤ光源部は、４６０〜４９０ｎｍに前記ボトム波長を有し、そのボトム波長における分光強度が０であることを特徴とする請求項１〜５記載の照明装置。
【００５０】
これにより、昆虫の誘虫性指数をさらに低減させることができる。
【符号の説明】
【００５１】
Ｂ…ボトム波長、Ｐ１…第１のピーク波長、Ｐ２…第２のピーク波長、Ｐ３…第３のピーク波長、１０…照明装置、１１…ＬＥＤ光源部を構成する照光部。
【図１】
2013239272.tif 000003
【図２】
2013239272.tif 000004
【図３】
2013239272.tif 000005
【図４】
2013239272.tif 000006
【図５】
2013239272.tif 000007
【図６】
2013239272.tif 000008
【図７】
2013239272.tif 000009
【図８】
2013239272.tif 000010
【図９】
2013239272.tif 000011
【図１０】
2013239272.tif 000012
【図１１】
2013239272.tif 000013
【図１２】
2013239272.tif 000014
【図１３】
2013239272.tif 000015
【図１４】
2013239272.tif 000016
【図１５】
2013239272.tif 000017
【図１６】
2013239272.tif 000018
【図１７】
2013239272.tif 000019
【図１８】
2013239272.tif 000020
【図１９】
2013239272.tif 000021